【手続補正書】
【提出日】平成20年1月7日(2008.1.7)
【手続補正１】
【補正対象書類名】明細書
【補正対象項目名】特許請求の範囲
【補正方法】変更
【補正の内容】
【特許請求の範囲】
【請求項１】
定義された周波数帯域又は複数の周波数帯域内において、定義された周波数ホッピング・プロトコルに基づいて動作するとともに、前記定義済み周波数帯域又は複数の周波数帯域内において動作する少なくとも一の他の独立したワイヤレスシステムと併存可能なワイヤレスシステムであって、
前記定義済み周波数ホッピング・プロトコルに基づき動作する送信器を備えており、かかる送信器は、前記定義済み周波数ホッピング・プロトコルに基づいてその動作を制限するため、制御信号に応じて、前記定義済み周波数帯域又は複数の周波数帯域内の周波数の一部(subset)に対して動的に調整可能であり、また、かかる送信器は、前記定義済み周波数帯域又は複数の周波数帯域内で同時に動作する他のシステムと併存しても前記システムを動作可能とするため、その中で前記送信器が状況の変化又は命令に応じて動作する前記定義済み周波数帯域又は複数の周波数帯域内の周波数の一部を動的に制御するため、前記制御信号を生成する制御信号生成器を含むこと、
を特徴とするもの。
【手続補正２】
【補正対象書類名】明細書
【補正対象項目名】００１５
【補正方法】変更
【補正の内容】
【００１５】
本発明の更に他の目的は、上述の”圧迫”政策を採用せず、他のワイヤレスシステムを受け入れるため、周波数ホッピングか否かに拘わらず、そのパラメーターを劇的に調整することのできる”善良な市民”政策を採用するＦＨシステムを開示することにある。
本発明のいくつかの特徴を示すと以下のとおりである。
(1)定義された周波数帯域又は複数の周波数帯域内において、定義された周波数ホッピング・プロトコルに基づいて動作するとともに、前記定義済み周波数帯域又は複数の周波数帯域内において動作する少なくとも一の他の独立したワイヤレスシステムと併存可能なワイヤレスシステムであって、
前記定義済み周波数ホッピング・プロトコルに基づき動作する送信器を備えており、かかる送信器は、前記定義済み周波数ホッピング・プロトコルに基づいてその動作を制限するため、制御信号に応じて、前記定義済み周波数帯域又は複数の周波数帯域内の周波数の一部(subset)に対して動的に調整可能であり、また、かかる送信器は、前記定義済み周波数帯域又は複数の周波数帯域内で同時に動作する他のシステムと併存しても前記システムを動作可能とするため、その中で前記送信器が状況の変化又は命令に応じて動作する前記定義済み周波数帯域又は複数の周波数帯域内の周波数の一部を動的に制御するため、前記制御信号を生成する制御信号生成器を含むこと、
を特徴とするもの。
(2)上記(1)で述べられたワイヤレスシステムにおいて、
前記送信器は、１つだけの周波数サブバンド(frequency subband)から構成されたサブセット上で動作すること、
を特徴とするもの。
(3)上記(1)で述べられたワイヤレスシステムにおいて、前記制御信号生成器は、前記複数の周波数帯域を監視し、前記複数の周波数帯域の中から一以上のサブバンド上で前記送信器を動作させるため、前記制御信号を生成することにより、動作すること、
を特徴とするもの。
(4)上記(1)で述べられたワイヤレスシステムにおいて、前記制御信号生成器は、前記複数の周波数帯域におけるパワーレベルを測定し、最も低いパワーレベルを有するものとして測定された前記サブバンド上で前記送信器を動作させるため、前記制御信号を生成することにより、動作すること、
を特徴とするもの。
(5)上記(1)で述べられたワイヤレスシステムにおいて、前記送信器は、必要に応じ、法的要求レベル内（regulatory requiments)に収まるよう、そのパワーを調整できること、
を特徴とするもの。
(6)上記(1)で述べられたワイヤレスシステムにおいて、前記制御信号生成器は、内部で生成された命令信号に応答すること、
を特徴とするもの。
(7)上記(1)で定義されたワイヤレスシステムにおいて、前記制御信号生成器は、外部で生成された命令信号に応答すること、
を特徴とするもの。
(8)定義された周波数帯域又は複数の周波数帯域内において、定義された周波数ホッピング・プロトコルに基づいて動作するとともに、前記定義済み周波数帯域又は複数の周波数帯域内において動作する少なくとも一の他の独立したワイヤレスシステムと併存可能なワイヤレスシステムであって、
前記定義済み周波数ホッピング・プロトコルに基づき動作する受信器を備えており、かかる受信器は、前記定義済み周波数ホッピング・プロトコルに基づいてその動作を制限するため、制御信号に応じて、前記定義済み周波数帯域又は複数の周波数帯域内の周波数の一部(subset)に対して動的に調整可能であり、また、かかる受信器は、前記定義済み周波数帯域又は複数の周波数帯域内で同時に動作する他のシステムと併存しても前記システムを動作可能とするため、その中で前記受信器が状況の変化又は命令に応じて動作する前記定義済み周波数帯域又は複数の周波数帯域内の周波数の一部を動的に制御するため、前記制御信号を生成する制御信号生成器を含むこと、
を特徴とするもの。
(9)上記(8)８で述べたワイヤレスシステムにおいて、前記受信器は、１つだけの周波数サブバンド(frequency subband)から構成されたサブセット上で動作すること、
を特徴とするもの。
(10)上記(8)で述べたワイヤレスシステムにおいて、さらに、前記定義済み周波数ホッピングプロトコルに基づいて動作する前記受信器と無線通信するための送信器を備えており、かかる送信器は、前記定義済み周波数ホッピング・プロトコルに基づいてその動作を制限するため、制御信号に応じて、前記定義済み周波数帯域又は複数の周波数帯域内の周波数の一部(subset)に対して動的に調整可能であり、この送信器は、前記定義済み周波数帯域又は複数の周波数帯域内で同時に動作する他のシステムと併存しても前記システムを動作可能とするため、その中で前記送信器が状況の変化又は命令に応じて動作する前記定義済み周波数帯域又は複数の周波数帯域内の周波数の一部を動的に制御するため、前記制御信号を生成する、他の制御信号生成器を有しており、さらに、前記システムは、前記送信機および前記受信器から構成される通信ペアを複数備えていること、
を特徴とするもの。
(11)上記(10)で述べたワイヤレスシステムにおいて、前記制御信号生成器および前記制御信号生成器は、通信を行う受信機と送信機の各ペア間の無線リンクを最適化するため、又は、各無線リンクを要求される規則(regulation requirements)に合致させるため、にそのサイズを動的に調整可能な複数の帯域内で、対応する前記送信器および前記受信器を動作させるための制御信号を生成すること、
を特徴とするもの。
(12)上記(11)で述べたワイヤレスシステムにおいて、複数のトランシーバーを構成するため、前記送信器は、受信器としても動作することができること、
を特徴とするもの。
(13)上記(12)で述べたワイヤレスシステムにおいて、前記トランシーバーは、前記トランシーバーが、あるレートで動作周波数から次の周波数へとホップするのを動的に調整可能とするプロトコル、に基づいて動作すること、
を特徴とするもの。
(14)定義された周波数帯域又は複数の周波数帯域内において、定義された周波数ホッピング・プロトコルに基づいて動作するとともに、記定義済み周波数帯域又は複数の周波数帯域内において動作する少なくとも一の他の独立したワイヤレスシステムと併存可能なワイヤレスシステムにおいて、
前記定義済みの周波数ホッピング・プロトコルに基づいて動作可能であるとともに、前記定義済み周波数帯域又は複数の周波数帯域内において動作する少なくとも一の他の独立したワイヤレスシステムと併存可能な送信器を設けるステップ、および
前記定義済み周波数帯域又は複数の周波数帯域内で同時に動作する他のシステムと併存しても前記システムを動作可能とするため、その中で前記送信器が状況の変化又は命令に応じて動作する前記定義済み周波数帯域又は複数の周波数帯域内の周波数の一部を動的に制御するため、制御信号を生成するステップ、を備えたこと、
を特徴とする方法。